(57)【特許請求の範囲】
【請求項１】
出力液圧室（２５，２６）に前端を臨ませるプランジャ（２３，２４）の外周に、前記出力液圧室（２５，２６）に前面側を臨ませるカップシール（３２，４１）の内周が摺接され、該カップシール（３２，４１）の背後に固定配置されて前記プランジャ（２３，２４）を囲繞するリング状の隔壁カラー（１９，２１）の内周および前記プランジャ（２３，２４）の外周間に、リザーブタンク（２９）に連通する環状の補給室（２７，３７）が形成され、前記プランジャ（２３，２４）の後退限位置で前記補給室（２７，３７）を前記出力液圧室（２５，２６）に通じさせるリリーフ孔（５６，５７）がプランジャ（２３，２４）に設けられるマスタシリンダにおいて、前記カップシール（３２，４１）および隔壁カラー（１９，２１）間に介在するバックアップリング（３３，４２）が、前記プランジャ（２３，３４）の後退限位置からの前進時に前記カップシール（３２，４１）に先駆けて前記リリーフ孔（５６，５７）および前記補給室（２７，３７）間を遮断するようにして、前記プランジャ（２３，２４）の外周に弾発的に密接されることを特徴とするマスタシリンダ。
【請求項２】
前記バックアップリング（３３，４２）が、前記プランジャ（２３，２４）の軸線と斜めに交差する平面に沿うスリット状の合わせ面（３４）を周方向一箇所に有するとともに前記合わせ面（３４）を密接させた自然な状態での内周直径が前記プランジャ（２３，２４）の外周直径よりもわずかに小さくなるようにして、弾性材料でリング状に形成されることを特徴とする請求項１記載のマスタシリンダ。
【発明の詳細な説明】
【０００１】
【発明の属する技術分野】
本発明は、マスタシリンダに関し、特に、出力液圧室に前端を臨ませるプランジャの外周に、前記出力液圧室に前面側を臨ませるカップシールの内周が摺接され、該カップシールの背後に固定配置されて前記プランジャを囲繞するリング状の隔壁カラーの内周および前記プランジャの外周間に、リザーブタンクに連通する環状の補給室が形成され、前記プランジャの後退限位置で前記補給室を前記出力液圧室に通じさせるリリーフ孔がプランジャに設けられるマスタシリンダの改良に関する。
【０００２】
【従来の技術】
従来、かかるマスタシリンダは、たとえば特開平３−１４８３６０号公報等で既に知られている。
【０００３】
【発明が解決しようとする課題】
ところが、上記従来のものでは、カップシールの背面に隔壁カラーが直接接触しているので、プランジャがその後退限位置から前進する際に、リリーフ孔のプランジャ外周への開口端がカップシールを通過するまでは補給室および出力液圧室間が遮断されることはなく、したがってプランジャの無効ストロークが比較的大きくなる。
【０００４】
本発明は、かかる事情に鑑みてなされたものであり、プランジャの無効ストロークの短縮を可能としたマスタシリンダを提供することを目的とする。
【０００５】
【課題を解決するための手段】
上記目的を達成するために、請求項１記載の発明は、出力液圧室に前端を臨ませるプランジャの外周に、前記出力液圧室に前面側を臨ませるカップシールの内周が摺接され、該カップシールの背後に固定配置されて前記プランジャを囲繞するリング状の隔壁カラーの内周および前記プランジャの外周間に、リザーブタンクに連通する環状の補給室が形成され、前記プランジャの後退限位置で前記補給室を前記出力液圧室に通じさせるリリーフ孔がプランジャに設けられるマスタシリンダにおいて、前記カップシールおよび隔壁カラー間に介在するバックアップリングが、前記プランジャの後退限位置からの前進時に前記カップシールに先駆けて前記リリーフ孔および前記補給室間を遮断するようにして、前記プランジャの外周に弾発的に密接されることを特徴とする。
また請求項２記載の発明は、請求項１記載の発明の構成に加えて、前記バックアップリングが、前記プランジャの軸線と斜めに交差する平面に沿うスリット状の合わせ面を周方向一箇所に有するとともに前記合わせ面を密接させた自然な状態での内周直径が前記プランジャの外周直径よりもわずかに小さくなるようにして、弾性材料でリング状に形成されることを特徴とする。
【０００６】
本発明のこのような構成によれば、カップシールおよび隔壁カラー間に介在するバックアップリングが、プランジャの外周面に弾発的に密接することにより、プランジャがその後退限位置から前進する際に、リリーフ孔のプランジャ外周への開口端が隔壁カラーの前端を通過することで補給室および出力液圧室間が遮断されることになり、プランジャの無効ストロークを従来のものよりも短縮し、マスタシリンダの全長を短くすることができる。しかもバックアップリングの内周はプランジャの外周に密接しているので、カップシールが出力液圧室側から液圧を受けてもバックアップリングおよびプランジャ間にカップシールの内周が噛み込んでしまうことはない。
【０００７】
【発明の実施の形態】
以下、本発明の実施の形態を、添付の図面に示した本発明の一実施例に基づいて説明する。
【０００８】
図１〜図７は本発明の一実施例を示すものであり、図１はタンデム型のマスタシリンダの縦断面図、図２は後部隔壁カラーの拡大縦断面図であって図３の２−２線に沿う断面図、図３は図２の３矢視図、図４は自然な状態にあるバックアップリングの正面図、図５は図４の５矢視図、図６は前部隔壁カラーの拡大縦断面図であって図７の６−６線に沿う断面図、図７は図６の７矢視図である。
【０００９】
先ず図１において、タンデム型のマスタシリンダＭのシリンダボディ１１には、スリーブ装着孔１２と、該スリーブ装着孔１２よりも大径に形成されてスリーブ装着孔１２の前端に同軸に連なるねじ孔１３と、前記スリーブ装着孔１２よりも小径に形成されてスリーブ装着孔１２の後端に同軸に連なるシール装着孔１４と、シール装着孔１４よりも小径に形成されてシール装着孔１４の後端に同軸に連なる摺動孔１５とが設けられており、ねじ孔１３の前端はシリンダボディ１１の前端に開口し、摺動孔１５の後端はシリンダボディ１１の後端に開口する。ねじ孔１３には、スリーブ装着孔１２の前部に嵌入する円筒部１６ａを備える蓋部材１６がねじ込まれる。
【００１０】
スリーブ装着孔１２およびシール装着孔１４間でシリンダボディ１１には環状の段部１８が形成される。この段部１８および前記蓋部材１６間でスリーブ装着孔１２には、前記段部１８側から順に、リング状の後部隔壁カラー１９、スリーブ２０、リング状の前部隔壁カラー２１が挿入され、後部隔壁カラー１９、スリーブ２０および前部隔壁カラー２１は、蓋部材１６の円筒部１６ａおよび段部１８間でシリンダボディ１１に挟持、固定される。
【００１１】
スリーブ２０は、摺動孔１５に対応した内径のシリンダ孔２２を有して円筒状に形成される。前記シリンダ孔２２には、後部プランジャ２３の前部が摺動可能に嵌合され、該後部プランジャ２３の後部は摺動孔１５に摺動可能に嵌合される。またシリンダ孔２２には前部プランジャ２４の後部が摺動可能に嵌合されており、後部および前部プランジャ２３，２４間には後部出力液圧室２５が形成され、前部プランジャ２４および蓋部材１６間には前部出力液圧室２６が形成される。
【００１２】
図２および図３を併せて参照して、後部隔壁カラー１９は、摺動孔１５に対応した内周直径を有してリング状に形成されるものであり、段部１８およびスリーブ２０間に外周部が挟持されるようにしてスリーブ装着孔１２に挿入される。
【００１３】
この後部隔壁カラー１９の内周および後部プランジャ２３の外周間には環状の後部内側補給室２７が形成され、スリーブ２０の後端外周および後部隔壁カラー１９の外周とスリーブ装着孔１２の内周との間には、シリンダボディ１１の上部に取付けられたリザーブタンク２９に通じる環状の後部外側補給室２８が形成される。しかも後部隔壁カラー１９の段部１８と反対側の側の端面には、放射状に延びる複数の連通溝３０，３０…が設けられており、後部内側補給室２７および後部外側補給室２８間は各連通溝３０，３０…を介して連通する。
【００１４】
段部１８およびスリーブ２０間に外周部が挟持された後部隔壁カラー１９と、シール装着孔１４および摺動孔１５間の段部との間には環状凹部が形成され、後部プランジャ２３の外周に内周を摺接させる第１カップシール３１が該環状凹部に装着される。
【００１５】
再び図１において、後部隔壁カラー１９の外周部はスリーブ２０の後部および段部１８間に挟持される。
【００１６】
後部プランジャ２３を囲む後部内側補給室２７の両側を第１カップシール３１と協働してシールするための第２カップシール３２が後部隔壁カラー１９の前方に配置されており、第２カップシール３２の内周は後部プランジャ２３の外周に摺接し、第２カップシール３２の外周は、スリーブ２０の後部内周に弾発的に接触する。
【００１７】
しかも第２カップシール３２および後部隔壁カラー１９間に介在するバックアップリング３３の内周が、後部プランジャ２３の外周に弾発的に密接する。
【００１８】
図４および図５において、バックアップリング３３は、後部プランジャ２３の軸線と斜めに交差する平面に沿うスリット状の合わせ面３４を周方向一箇所に有して、合成樹脂等の弾性を有する材料でリング状に形成される。
【００１９】
前記合わせ面３４を密接させた自然な状態でのバックアップリング３３の内周直径は、後部プランジャ２３の外周直径よりもわずかに小さく設定されており、バックアップリング３３を後部プランジャ２３の外周に嵌装したときに、該バックアップリング３３は前記合わせ面３４をわずかに開くように拡径して、後部プランジャ２３の外周に弾発的に密接することになる。
【００２０】
このようにして第２カップシール３２は、シリンダボディ１１に固定された後部隔壁カラー１９に当接するバックアップリング３３と、スリーブ２０の後端との間に挟まれることになり、スリーブ２０の後端の周方向に等間隔をあけた複数箇所には、第２カップシール３２内に突入して第２カップシール３２をバックアップリング３３との間に挟持するための複数の支持突部３５…が突設され、各支持突部３５…相互間でスリーブ２０の後端部には、該スリーブ２０の内周側に開口するとともに第２カップシール３２側に臨んでも開口するスリット状の切欠き３６…が設けられる。
【００２１】
而して第２カップシール３２の前面には切欠き３６…を介して後部出力液圧室２５の液圧が作用することになり、背面側に作用する後部外側補給室２８すなわちリザーブタンク２９内のブレーキ液の液圧よりも前記後部出力液圧室２５の液圧が低下するのに応じて、第２カップシール３２は後部外側補給室２８から後部出力液圧室２５側へのブレーキ液の流れを許容する。
【００２２】
図６および図７を併せて参照して、前部隔壁カラー２１は、シリンダ孔２２に対応した内周直径を有してリング状に形成されるものであり、蓋部材１５の円筒部１６ａと、スリーブ２０の前端との間に外周部が挟持されるようにしてスリーブ装着孔１２に挿入される。
【００２３】
この前部隔壁カラー２１の内周および前部プランジャ２４の外周間には環状の前部内側補給室３７が形成され、スリーブ２０の前端外周および前部隔壁カラー２１の外周とスリーブ装着孔１２の内周との間には、リザーブタンク２９に通じる環状の前部外側補給室３８が形成される。しかも前部隔壁カラー２１の蓋部材１６側の端面には、放射状に延びる複数の連通溝３９，３９…が設けられており、前部内側補給室３７および前部外側補給室３８間は各連通溝３９，３９…を介して連通する。
【００２４】
蓋部材１６およびスリーブ２０間に外周部が挟持された前部隔壁カラー２１と、スリーブ２０の前端部との間には環状凹部が形成され、前部プランジャ２４の外周に内周を摺接させる第３カップシール４０が該環状凹部に装着される。
【００２５】
前部プランジャ２４を囲む前部内側補給室３７の両側を第３カップシール４０と協働してシールするための第４カップシール４１が前部隔壁カラー２１の前方に配置されており、第４カップシール４１の内周は前部プランジャ２４の外周に摺接し、第４カップシール４１の外周は、蓋部材１６における円筒部１６ａの後部内周に弾発的に接触する。
【００２６】
しかも第４カップシール４１および前部隔壁カラー２１間には、第２カップシール３２および後部隔壁カラー１９間に介在したバックアップリング３３と同様に、前部プランジャ２４の外周に弾発的に密接するバックアップリング４２が介在する。
【００２７】
このようにして第４カップシール４１は、シリンダボディ１１に固定された前部隔壁カラー２１に当接するバックアップリング４２と、蓋部材１６における円筒部１６ａの後端との間に挟まれることになり、円筒部１６ａの後部の周方向に等間隔をあけた複数箇所には、第４カップシール４１内に突入して第４カップシール４１をバックアップリング４２との間に挟持するための複数の支持突部４３…が突設され、各支持突部４３…相互間で円筒部１６ａの後部には、該円筒部１６ａの内周側に開口するとともに第４カップシール４１側に臨んでも開口するスリット状の切欠き４４…が設けられる。
【００２８】
而して第４カップシール４１の前面には切欠き４４…を介して前部出力液圧室２６の液圧が作用することになり、背面側に作用する前部外側補給室３８すなわちリザーブタンク３９内のブレーキ液の液圧よりも前記前部出力液圧室２６の液圧が低下するのに応じて、第４カップシール４１は前部外側補給室３８から前部出力液圧室２６側へのブレーキ液の流れを許容する。
【００２９】
スリーブ２０の前部寄りに対応する部分でスリーブ装着孔１２の内面には環状溝４５が設けられており、該環状溝４５を両側から挟む一対のＯリング４６，４７がスリーブ装着孔１２の内面に密接するようにしてスリーブ２０の外周に装着される。しかもシリンダボディ１１には前記環状溝４５内に通じる後部出力ポート４８が設けられ、スリーブ２０には、前記環状溝４５を後部出力液圧室２５に通じさせる複数の連通孔４９…が設けられる。
【００３０】
蓋部材１６における円筒部１６ａの中間部に対応する部分でスリーブ装着孔１２の内面には環状溝５０が設けられており、該環状溝５０を両側から挟む一対のＯリング５１，５２がスリーブ装着孔１２の内面に密接するようにして円筒部１６ａの外周に装着される。しかもシリンダボディ１１には前記環状溝５０内に通じる前部出力ポート５３が設けられ、円筒部１６ａには、前記環状溝５０を前部出力液圧室２６に通じさせる複数の連通孔５４…が設けられる。
【００３１】
ところで、後部プランジャ２３の前部は円筒状に形成されており、後部プランジャ２３が図１で示すように後退限位置にあるときに後部内側補給室２７に後部出力液圧室２５を通じさせる複数のリリーフ孔５６…が後部プランジャ２３の前部に設けられる。これらのリリーフ孔５６…により、後部プランジャ２３が後退限まで後退したときに後部出力液圧室２５の液圧がリザーブタンク２９側に解放され、後部プランジャ２３が後退限位置から前進したときに、前記各リリーフ孔５６…の後部内側補給室２７への連通がバックアップリング３３で遮断されることになる。
【００３２】
また前部プランジャ２４の前部も円筒状に形成されており、前部プランジャ２４が図１で示すように後退限位置にあるときに前部内側補給室３７に前部出力液圧室２６を通じさせる複数のリリーフ孔５７…が前部プランジャ２４の前部に設けられる。これらのリリーフ孔５７…により、前部プランジャ２４が後退限まで後退したときに前部出力液圧室２６の液圧がリザーブタンク２９側に解放され、前部プランジャ２４が後退限位置から前進したときに、前記各リリーフ孔５７…の前部内側補給室３７への連通がバックアップリング４２で遮断されることになる。
【００３３】
後部出力液圧室２５に臨んで後部プランジャ２３に設けられる端面２３ａには、円筒状に形成された第１リテーナ５８が後端に備える当接鍔５８ａが当接される。また後部出力液圧室２５に臨む前部プランジャ２４の後面２４ａには第２リテーナ５９が当接され、第１および第２リテーナ５８，５９間には後部戻しばね６０が縮設される。この後部戻しばね６０は後部および前部プランジャ２３，２４を相互に離間せしめる方向に付勢するばね力を発揮するものであり、第１および第２リテーナ５８，５９は後部および前部プランジャ２３，２４に実質的には固定される。
【００３４】
第２リテーナ５９の中央部には、シリンダ孔２２と同軸に延びるロッド６１の前端部が係合、連結されており、このロッド６１の後部は、第１リテーナ５８の前端部を軸方向移動可能に貫通する。しかもロッド６１の後端には、第１リテーナ５８の前部に後方から係合可能な係合鍔６１ａが設けられており、係合鍔６１ａが第１リテーナ５８の前部に係合することで後部および前部プランジャ２３，２４間の最大間隔が規制される。
【００３５】
蓋部材１６および前部プランジャ２４間には前部戻しばね６２が縮設されており、前部プランジャ２４は前部戻しばね６２が発揮するばね力により後方側に向けて付勢される。
【００３６】
ところでスリーブ２０の前部寄り内面には、シリンダ孔２２の軸方向に沿って延びる複数たとえば４つのガイド溝６３…が設けられており、後部出力ポート４８に通じてスリーブ２０に設けられた連通孔４９…の内端は、それらのガイド溝６３…の少なくとも１つに開口する。
【００３７】
各ガイド溝６３…には、第２リテーナ５９の外周に設けられた規制突部５９ａ…がそれぞれ嵌入されており、各ガイド溝６３…の後端部にそれぞれ形成された規制面６４…に前記各規制突部５９ａ…が当接することにより、前部戻しばね６２で後方側に向けて付勢された前部プランジャ２４の後退限位置が定まる。しかも上述のように後部および前部プランジャ２３，２４間の最大間隔が規制されているので、前部プランジャ２４の後退限位置が定まるのに応じて後部プランジャ２３の後退限位置も定まることになる。
【００３８】
後部プランジャ２３には、後方に延びて負圧ブースタ（図示せず）内に突入する延長筒部２３ｂが一体かつ同軸に設けられており、負圧ブースタのブースタシェル（図示せず）および延長筒部２３ｂ間に環状のシール部材６５が介装される。また負圧ブースタが備える出力ロッド６６の前端が後部プランジャ２３に首振り可能に連接される。
【００３９】
次にこの実施例の作用について説明すると、前面側を後部および前部出力液圧室２５，２６に臨ませて後部および前部プランジャ２３，２４の外周に摺接する第２および第４カップシール３２，４１と、それらのカップシール３２，４１の後方側でシリンダボディ１１に固定されるとともに後部および前部プランジャ２３，２４の外周との間に後部および前部内側補給室２７，３７を形成する後部および前部隔壁カラー１９，２１との間にはバックアップリング３３，４２が介在しており、それらのバックアップリング３３，４２は、後部および前部プランジャ２３，２４の外周にそれぞれ密接している。
【００４０】
したがって後部および前部プランジャ２３，２４がその後退限位置から前進する際に、リリーフ孔５６，５７のプランジャ２３，２４の外周への開口端が各隔壁カラー１９，２１の前端を通過することで、後部および前部内側補給室２７，３７と、後部および前部出力液圧室２５，２６との間が遮断されることになり、各プランジャ２３，２４の無効ストロークを短くし、マスタシリンダＭの全長を短くすることができる。
【００４１】
しかもバックアップリング３３，４２の内周が各プランジャ２３，２４の外周に密接しているので、第２および第４カップシール３２，４１が後部および前部出力液圧室２５，２６側から液圧を受けてもバックアップリング３３，４２およびプランジャ２３，２４間にカップシールの内周が噛み込んでしまうことはない。
【００４２】
以上、本発明の実施例を説明したが、本発明は上記実施例に限定されるものではなく、特許請求の範囲に記載された本発明を逸脱することなく種々の設計変更を行うことが可能である。
【００４３】
【発明の効果】
以上のように本発明によれば、プランジャがその後退限位置から前進する際に、リリーフ孔のプランジャ外周への開口端が隔壁カラーの前端を通過することで補給室および出力液圧室間を直ちに遮断するようにしてプランジャの無効ストロークを従来のものよりも短縮し、マスタシリンダの全長を短くすることができる。しかもカップシールが出力液圧室側から液圧を受けてもバックアップリングおよびプランジャ間にカップシールの内周が噛み込んでしまうことはない。
【図面の簡単な説明】
【図１】タンデム型のマスタシリンダの縦断面図である。
【図２】後部隔壁カラーの拡大縦断面図であって図３の２−２線に沿う断面図である。
【図３】図２の３矢視図である。
【図４】自然な状態にあるバックアップリングの正面図である。
【図５】図４の５矢視図である。
【図６】前部隔壁カラーの拡大縦断面図であって図７の６−６線に沿う断面図である。
【図７】図６の７矢視図である。
【符号の説明】
１９，２１・・・隔壁カラー
２３，２４・・・プランジャ
２５，２６・・・出力液圧室
２７，３７・・・補給室
２９・・・リザーブタンク
３２，４１・・・カップシール
３３，４２・・・バックアップリング
３４・・・合わせ面
５６，５７・・・リリーフ孔
Ｍ・・・マスタシリンダ
【図１】
0003696549.tif 000002
【図２】
0003696549.tif 000003
【図３】
0003696549.tif 000004
【図４】
0003696549.tif 000005
【図５】
0003696549.tif 000006
【図６】
0003696549.tif 000007
【図７】
0003696549.tif 000008